(57)【特許請求の範囲】
【請求項１】
上部を開口させた口部、胴部及び底部を有する外層体と、内容物を収納する充填空間を有するとともに該外層体の内側に設けられ、該充填空間からの内容物の注出に伴って減容変形する内層体とを備えた二重容器であって、
前記外層体と前記内層体との相互間に、該外層体の中心軸線に沿って延在し、該外層体と該内層体とを部分的に結合させる接着帯を１本のみ設け、
該外層体に、該外層体と該内層体との相互間に外気を取り込む外気導入孔を、該接着帯に対して周方向にずれた位置に１つのみ設け、
該外層体の内面を、該外気導入孔に面するとともに該内層体の外面に対して分離した分離面と、該分離面に対向するとともに該内層体の外面に対して剥離可能に接着した疑似接着面とで構成してなり、
内容物の注出にあたって前記外層体を傾倒姿勢に変位させるに際し、前記分離面と前記疑似接着面が水平方向両側に位置するように該外層体を導く誘導手段を有する二重容器。
【請求項２】
前記口部に、前記充填空間の内容物を外界に注出させる注出キャップを設け、該注出キャップに、ヒンジを介して連結する蓋体を設け、該ヒンジを、前記分離面と前記疑似接着面が水平方向両側に位置し且つ前記外層体を傾倒姿勢に変位させた状態において、該注出キャップの上方に設けることで前記誘導手段としてなる請求項１に記載の二重容器。
【請求項３】
前記口部に、該口部の開口を覆う天壁と該天壁から立ち上がる注出筒とを有し該注出筒から内容物を外界に注出させる注出キャップを設け、該注出筒を、前記分離面と前記疑似接着面が水平方向両側に位置し且つ前記外層体を傾倒姿勢に変位させた状態において、下方に位置する部分の長さが他の部分よりも長くなるように設けることで前記誘導手段としてなる請求項１又は２に記載の二重容器。
【請求項４】
前記口部に、前記充填空間の内容物を外界に注出させる注出キャップを設け、前記注出キャップに、先端を径方向外側に湾曲させたリップをその頂部に有する注出筒を設け、該リップを、前記分離面と前記疑似接着面が水平方向両側に位置し且つ前記外層体を傾倒姿勢に変位させた状態において、該頂部の下方に位置する部分のみに設けることで前記誘導手段としてなる請求項１又は２に記載の二重容器。
【請求項５】
前記外気導入孔は、前記接着帯に対して周方向に９０度ずれた位置に設けられる請求項１〜４の何れか一項に記載の二重容器。
【発明の詳細な説明】
【技術分野】
【０００１】
本発明は、内容物を収納する内層体を外層体の内側に設けた二重容器に関するものである。
【背景技術】
【０００２】
化粧水などの化粧料やシャンプーやリンス或いは液体石鹸、各種の薬剤、また食品調味料などを内容物として収納する容器としては、定形の外殻となる外層体と、外層体の内側に設けられ内容物を収納する内層体とを備える二重容器が知られている（例えば特許文献１参照）。この種の容器は、外層体に外気導入孔を備えていて、外層体と内層体との相互間に外気を取り込むことができるように構成している。これにより、内容物を注出させても外層体の形状は元のままで内層体のみを減容変形させることができる。
【０００３】
このような二重容器は、特許文献１に示されている如く、内層体を全体的に均等に減容変形させることを目的として、外層体と内層体とを部分的に結合させる接着帯を外層体の中心軸線を挟んで対向するように設け、更に、２つの外気導入孔を対向する接着帯に対してそれぞれ周方向に９０度ずれた位置に設けることが一般的である。
【先行技術文献】
【特許文献】
【０００４】
【特許文献１】特開２００３−１３７２４１号公報
【発明の概要】
【発明が解決しようとする課題】
【０００５】
ところで対向配置となる接着帯及び２つの外気導入孔を設ける場合、内層体は、外層体の中心軸線に対して対称となるように減容変形する。すなわち外層体には、内層体が外層体から分離した剛性が低い２つの部分と、接着帯によって内層体と外層体とが結合した剛性の高い２つの部分が存在し、同種の部分同士が外層体の中心軸線に対して対称に位置することになる。
【０００６】
そして、外層体を片手で保持する場合、親指をあてがう部分と、人差し指から小指までをあてがう部分とは、外層体の中心軸線に対して概ね対称に位置することになることから、内容物を注出させるには、外層体の剛性が低い部分同士、或いは剛性が高い部分同士を押圧することになる。すなわち、親指をあてがう部分の剛性と人差し指から小指までをあてがう部分の剛性には差がなく、撓みやすさの優位性がないため、内容物を注出させるには両方の部分をともに撓ませなければならず、やや強い力で押圧する必要があった。
【０００７】
本発明は、このような従来の問題点を解決することを課題とするものであり、その目的は、できるだけ小さい押圧力で内容物を注出させることができる、新たな二重容器を提案するところにある。
【課題を解決するための手段】
【０００８】
本発明は、上部を開口させた口部、胴部及び底部を有する外層体と、内容物を収納する充填空間を有するとともに該外層体の内側に設けられ、該充填空間からの内容物の注出に伴って減容変形する内層体とを備えた二重容器であって、
前記外層体と前記内層体との相互間に、該外層体の中心軸線に沿って延在し、該外層体と該内層体とを部分的に結合させる接着帯を１本のみ設け、
該外層体に、該外層体と該内層体との相互間に外気を取り込む外気導入孔を、該接着帯に対して周方向にずれた位置に１つのみ設け、
該外層体の内面を、該外気導入孔に面するとともに該内層体の外面に対して分離した分離面と、該分離面に対向するとともに該内層体の外面に対して剥離可能に接着した疑似接着面とで構成してなり、
内容物の注出にあたって前記外層体を傾倒姿勢に変位させるに際し、前記分離面と前記疑似接着面が水平方向両側に位置するように該外層体を導く誘導手段を有する二重容器である。
【００１０】
前記口部に、前記充填空間の内容物を外界に注出させる注出キャップを設け、該注出キャップに、ヒンジを介して連結する蓋体を設け、該ヒンジを、前記分離面と前記疑似接着面が水平方向両側に位置し且つ前記外層体を傾倒姿勢に変位させた状態において、該注出キャップの上方に設けることで前記誘導手段とすることが好ましい。
【００１１】
前記口部に、該口部の開口を覆う天壁と該天壁から立ち上がる注出筒とを有し該注出筒から内容物を外界に注出させる注出キャップを設け、該注出筒を、前記分離面と前記疑似接着面が水平方向両側に位置し且つ前記外層体を傾倒姿勢に変位させた状態において、下方に位置する部分の長さが他の部分よりも長くなるように設けることで前記誘導手段とすることが好ましい。
【００１２】
前記口部に、前記充填空間の内容物を外界に注出させる注出キャップを設け、前記注出キャップに、先端を径方向外側に湾曲させたリップをその頂部に有する注出筒を設け、該リップを、前記分離面と前記疑似接着面が水平方向両側に位置し且つ前記外層体を傾倒姿勢に変位させた状態において、該頂部の下方に位置する部分のみに設けることで前記誘導手段とすることが好ましい。
【００１３】
前記外気導入孔は、前記接着帯に対して周方向に９０度ずれた位置に設けることが好ましい。
【発明の効果】
【００１４】
本発明では、外層体と内層体との相互間に、外層体の中心軸線に沿って延在し、外層体と内層体とを部分的に結合させる接着帯を１本のみ設け、外層体に、外層体と内層体との相互間に外気を取り込む外気導入孔を、接着帯に対して周方向にずれた位置に１つのみ設け、外層体の内面を、外気導入孔に面するとともに内層体の外面に対して分離した分離面と、分離面に対向するとともに内層体の外面に対して剥離可能に接着した疑似接着面とで構成している。すなわち、外層体の剛性は、分離面が位置する側に対して疑似接着面が位置する側では高くなるため、外層体を押圧すると、分離面が位置する側が優先的に撓むことになる。換言すると、外層体を片手で保持する場合、親指をあてがう部分と人差し指から小指までをあてがう部分の何れか一方を優先的に撓ませることができるため、両方を撓ませる場合に比して小さい押圧力で内容物を注出させることができる。
【図面の簡単な説明】
【００１５】
【図１】本発明に従う二重容器の一実施形態を示す正面図である。
【図２】図１に示す二重容器の側面図である。
【図３】図１に示す二重容器の平面図である。
【図４】図１に示すＡ−Ａに沿う断面図である。
【図５】図１に示す二重容器に注出キャップを装着した、本発明に従う他の実施形態を示す側面視での断面図である。
【図６】図５に示すＢ−Ｂに沿う断面図である。
【図７】図５の注出キャップに代えて別の注出キャップを装着した、本発明に従う更に他の実施形態を示す側面視での断面図である。
【図８】図７に示すＣ−Ｃに沿う断面図である。
【発明を実施するための形態】
【００１６】
以下、図面を参照しながら本発明をより具体的に説明する。図中、符号１は、本発明に従う二重容器の一実施形態を示す。図１〜図４に示すように二重容器１は、容器の外殻を形成する外層体２と、内容物を収納する充填空間Ｍを有するとともに外層体２の内側に設けられる内層体３とを備えている。
【００１７】
外層体２は、ポリエチレン、ポリプロピレン等の合成樹脂で形成されていて、定形性を有するものである。図１、図２に示すように外層体２は、上部を開口させた円筒状の口部２ａに、口部２ａよりも大径となる円筒状の胴部２ｂの一端を連結するとともに、胴部２ｂの他端を底部２ｃで閉鎖した形態をなしている。本実施形態の外層体２は、外層体２の中心軸線Ｃを挟んで２つに分割したブロー成形金型で構成されていて、口部２ａ、胴部２ｂ、底部２ｃには、図２、図３に示すように金型の分割面に対応するパーティングラインＬが形成されている。
【００１８】
また口部２ａには、口部２ａを貫通する孔（外気導入孔２ｄ）が１つのみ設けられている。本実施形態では、パーティングラインＬに対して周方向に９０度ずれた位置に設けられている。なお外気導入孔２ｄは、後述する接着帯を避けた位置であれば周方向の任意の位置に設けることができる。また、中心軸線Ｃ方向にずらして設けることも可能であって、胴部２ｂや底部２ｃに設けてもよい。また口部２ａの外面には、後述する注出キャップを装着するためのねじ部２ｅが、外気導入孔２ｄを避けて設けられている。
【００１９】
内層体３は、柔軟性を有する薄肉の合成樹脂で形成されている。本実施形態にあっては、外層体２に対して相溶性の低い材料（例えば、エチレンビニルアルコール共重合体、ナイロン（ポリアミド）等）を用いている。
【００２０】
外層体２と内層体３の相互間には、外層体２の中心軸線Ｃに沿って延在し、外層体２と内層体３とを結合させる接着帯４が１本のみ設けられている。本実施形態では、図３に示すようにパーティングラインＬ上に設けられていて、口部２ａの端部から胴部２ｂと底部２ｃとの連結部まで延在している。なお、接着帯４の延在長さ及び起点となる位置は種々選択可能であり、例えば口部２ａの端部から底部２ｃの中央部まで延在させてもよく、また胴部２ｂのみに延在させてもよい。
【００２１】
そして、外層体２の内面は、接着帯４が設けられた部位を除いて、外気導入孔２ｄに面するとともに内層体３の外面に対して分離した分離面２ｆ（図３では、中心軸線Ｃを中心として接着帯４の縁から時計回りに１８０度の領域）と、分離面２ｆに対向するとともに内層体３の外面に対して剥離可能に接着した疑似接着面２ｇ（図３では、接着帯４の縁から反時計回りに１８０度の領域）とから構成されている。
【００２２】
本実施形態の二重容器１は、例えば外層体２を形成する筒状の外層パリソンと、内層体３を形成する筒状の内層パリソンと、外層パリソンと内層パリソンとの相互間に設けられ、接着帯４を形成する縦帯接着層とを、多層押出成形用ダイスから共押出しして積層パリソンを押出成形し、これをダイスの下方に位置させたブロー成形金型で挟み込むとともにブロー成形することによって得ることができる。この場合、外気導入孔２ｄは、ブロー成形後にパンチ等を用いて形成することができる。また、成形直後の外層体２の内面は、接着帯４が設けられた部位を除き、その全周が内層体３の外面と剥離可能に接着した状態になっているものの、外気導入孔２ｄから内層体３に対して空気を吹き込むことで内層体３を外層体２から剥離させて、分離面２ｆを形成することができる。
【００２３】
このような二重容器１にあっては、図５〜図８に例示するような注出キャップ１０を口部２ａに装着することで、充填空間Ｍ内の内容物を注出することができる。図５〜図８の注出キャップ１０は、中栓１１、移動弁体１２、逆止弁１３、注出キャップ本体１４で構成されている。また注出キャップ本体１４の側部には、ヒンジ１５を介して蓋体１６を一体に設けている。
【００２４】
中栓１１は、内容物が通過する貫通孔１１ａ及び両端を開放した筒状壁１１ｂを備えていて、口部２ａの開口に設けられる。移動弁体１２は球状をなしていて、筒状壁１１ｂの内部において、筒状壁１１ｂの軸線に沿って移動可能に配置されている。逆止弁１３は、所謂３点弁の如き形態をなしていて、中栓１１の上面に配置される。逆止弁１３の弁体１３ａは、通常は中栓１１の上面に着座しており、貫通孔１１ａを閉鎖している。なお、筒状壁１１ｂに対し、弁体１３ａは完全には塞いでおらず、弁体１３ａを支持する弾性片の隙間部分が常時開放されている。注出キャップ本体１４は、中栓１１とともに口部２ａの開口を覆う天壁１４ａと、天壁１４ａの縁部に連結して口部２ａに保持される装着筒１４ｂとを備えている。また、天壁１４ａには、円筒状の注出筒１４ｃを設けている。更に注出筒１４ｃの頂部には、先端を径方向外側に湾曲させたリップ１４ｄを設けている。また天壁１４ａには、外層体２と内層体３との相互間に空気を取り込むための通気口１４ｅが設けられている。
【００２５】
このような注出キャップ１０によれば、外層体２を傾倒姿勢に変位させて押圧すると、充填空間Ｍが加圧されて、弁体１３ａが中栓１１から離反する。これに伴い充填空間Ｍの内容物が貫通孔１１ａを通して注出筒１４ｃから注出される。またこの時、移動弁体１２は、注出筒１４ｃ側に向けて筒状壁１１ｂ内を移動する。その後、外層体２の押圧を解除して元の姿勢に戻せば、充填空間Ｍの圧力が下がるため、弁体１３ａが中栓１１に着座して貫通孔１１ａは閉鎖される。またこの時、移動弁体１２も元の位置に戻るため、これに伴い注出筒１４ｃ内の内容物を、常時開放した弁体１３ａを支持する弾性片の隙間部分から引き戻すことができ（サックバック）、注出筒１４ｃからの液だれを防ぐことができる。なお、押圧を解除することで外層体２は元の形状に戻ろうとし、これに伴い外層体２と内層体３との相互間が負圧になるため、外気が、通気口１４ｅを通して注出キャップ本体１４内に取り込まれ、外気導入孔２ｄから外層体２と内層体３との相互間に導入される。これにより、内層体３を減容変形させたまま、外層体２だけが復元する。
【００２６】
このような構成になる二重容器１において、分離面２ｆが位置する側での外層体２の剛性は、内層体３の厚みがない分、疑似接着面２ｇが位置する側よりも小さくなる。このため、内容物を注出させるにあたって片手で外層体２を押圧すると、分離面２ｆが位置する側の外層体２を、疑似接着面２ｇが位置する側の外層体２に対して優先的に撓ませることができる。つまり、対向する外層体部分を両方とも撓ませていた従来の二重容器に対して、より小さい押圧力で内容物を注出させることができる。
【００２７】
また、このような二重容器１にあっては、内容物の注出にあたって外層体２を傾倒姿勢に変位させるに際し、外層体２を上方から持つようにすると外層体２を押圧しやすくなる。換言すると、この状態において外層体２を押圧する指の腹は、外層体２の中心軸線を挟んで水平方向両側に位置することになるため、分離面２ｆと疑似接着面２ｇが水平方向両側に位置するようにすることが好ましい。よって二重容器１には、特に意識せずともこのような姿勢で外層体２を保持する誘導手段を設けることが好ましい。
【００２８】
このような誘導手段としては、例えば図５〜図８に示すヒンジ１５のように、分離面２ｆと疑似接着面２ｇが水平方向両側に位置し且つ外層体２を傾倒姿勢に変位させた状態において、注出キャップ１０の上方に位置するように設けることが挙げられる。すなわち、蓋体１６を開いて内容物を注出するにあたっては、蓋体１６が内容物の注出を妨げないようにするべく、図示のようにヒンジ１５が注出キャップ１０の上方に位置する（開いた蓋体１６が注出キャップの上方に位置する）姿勢になるように自然に外層体２を保持するため、所期した通り、分離面２ｆと疑似接着面２ｇが水平方向両側に位置するように誘導することができる。
【００２９】
また他の誘導手段として、図５、図６に示す注出筒１４ｃのように、分離面２ｆと疑似接着面２ｇが水平方向両側に位置し且つ外層体２を傾倒姿勢に変位させた状態において、下方に位置する部分の長さが他の部分よりも長くなるように設けてもよい。また図７、図８に示すリップ１４ｄのように、分離面２ｆと疑似接着面２ｇが水平方向両側に位置し且つ外層体２を傾倒姿勢に変位させた状態において、注出筒１４ｃの頂部の下方に位置する部分のみにこれを設けてもよい。なお、誘導手段は上述したものに限定されるものではなく、種々の構成が適用可能であって、例えば、分離面２ｆと疑似接着面２ｇが位置する側の外層体２の外面に、指掛かりとなる凹部や凸部を設けてもよい。
【００３０】
なお、疑似接着面２ｇに対して分離面２ｆの面積が小さすぎると、内容物を注出させた際に内層体３の減容変形が十分に進まないおそれがある。また、疑似接着面２ｇに対して分離面２ｆの面積が大きすぎると、外層体２を優先的に撓ませることができる範囲が小さくなる。これに対し、本実施形態のように接着帯４に対して周方向に９０度ずれた位置に設ける場合は、接着帯４を境として外層体２の内面の略半分が分離面２ｆとなり、残りの半分が疑似接着面２ｇとなるため、上述した両方の機能を有効に両立させることができる。
【符号の説明】
【００３１】
１：二重容器
２：外層体
２ａ：口部
２ｂ：胴部
２ｃ：底部
２ｄ：外気導入孔
２ｅ：ねじ部
２ｆ：分離面
２ｇ：疑似接着面
３：内層体
４：接着帯
１０：注出キャップ
１１：中栓
１１ａ：貫通孔
１１ｂ：筒状壁
１２：移動弁体
１３：逆止弁
１３ａ：弁体
１４：注出キャップ本体
１４ａ：天壁
１４ｂ：装着筒
１４ｃ：注出筒
１４ｄ：リップ
１４ｅ：通気口
１５：ヒンジ
１６：蓋体
Ｃ：中心軸線
Ｌ：パーティングライン
Ｍ：充填空間
【図１】
0006489851.tif 000002
【図２】
0006489851.tif 000003
【図３】
0006489851.tif 000004
【図４】
0006489851.tif 000005
【図５】
0006489851.tif 000006
【図６】
0006489851.tif 000007
【図７】
0006489851.tif 000008
【図８】
0006489851.tif 000009